(57)【要約】      （修正有）【課題】磁界強度を増大し磁束損失を低減するスピーカ単体構造を提供する。【解決手段】フレーム１００と、コーン紙２００と、ヨーク３００と、ボイスコイル４００と、マグネットユニット５００とを備える。フレームは上部結合部１０２と下部結合部１０４とを有し、コーン紙は上部結合部に設けられ、ヨークは下部結合部に設けられ、ボイスコイルはコーン紙の底面に環設され、マグネットユニットはマグネット５２０とフロントプレート５４０とを備え、マグネットユニットはヨーク上に設けられ、そして、ヨークの内側円環面３２０は、内側円環面に対してヨークの中心に更に近接している第１の集磁面３２２と、ヨークの内部に沿って徐々に隆起している第２の集磁面３２３とを有し、またヨークの底面は第２の集磁面に対して隆起し、フロントプレートの外側円環面５４１はマグネットの外側円環面５２１に対してフロントプレートの中心から更に離れている。【選択図】図１
0003190577.tif 000002
【実用新案登録請求の範囲】
【請求項１】
上部結合部と下部結合部とを有するフレームと、
前記上部結合部に設けられているコーン紙と、
前記下部結合部に設けられているヨークと、
前記コーン紙の底面に環設されているボイスコイルと、
マグネットとフロントプレートとを備えており、前記ヨーク上に設けられているマグネットユニットと、を具備したスピーカ単体構造であって、
前記ヨークの内側円環面は、前記内側円環面に対して前記ヨークの中心に更に近接している第１の集磁面と、前記ヨークの内部に沿って徐々に隆起している第２の集磁面とを有しており、前記ヨークの底面は前記第２の集磁面に対して隆起しており、前記フロントプレートの外側円環面は前記マグネットの外側円環面に対して前記フロントプレートの中心から更に離れている、ことを特徴とするスピーカ単体構造。
【請求項２】
前記第１の集磁面と前記フロントプレートの外側円環面とが磁気隙間を形成している、ことを特徴とする請求項１に記載のスピーカ単体構造。
【請求項３】
前記磁気隙間が前記ボイスコイルを収容するためのものである、ことを特徴とする請求項２に記載のスピーカ単体構造。
【請求項４】
前記ボイスコイルが導電コイルを更に備えた、ことを特徴とする請求項１に記載のスピーカ単体構造。
【請求項５】
前記フロントプレートが導磁性である、ことを特徴とする請求項１に記載のスピーカ単体構造。
【請求項６】
一端が前記フロントプレートに螺着されており、その対応する他端が前記コーン紙を貫設して結合されている支柱を更に備えた、ことを特徴とする請求項１に記載のスピーカ単体構造。
【請求項７】
前記支柱が、前記コーン紙に結合する前記支柱の一端を覆う防塵カバーを更に備えた、ことを特徴とする請求項６に記載のスピーカ単体構造。
【請求項８】
一側面が前記フレームに設けられており、その対応する他の側面が前記ボイスコイルに設けられているダンパを更に備えた、ことを特徴とする請求項１に記載のスピーカ単体構造。
【考案の詳細な説明】
【技術分野】
【０００１】
本考案はスピーカ単体構造に関し、とりわけ磁界強度を増大して、磁束損失を低減するスピーカ単体構造に関するものである。
【背景技術】
【０００２】
従来のスピーカ構造では、ヨークが盆状をなし、しかもワッシャがマグネットに対応して相当する外側円環面を形成している。よって、ボイスコイルが垂直に振動するときにて、前記ヨーク及び前記ワッシャにより構成されている構造であることから、磁力線を効果的に集中させることができないうえ、磁束漏れにより音声が歪む不具合が生じやすい。
【０００３】
特許文献１には、磁界の特性を利用することに重点を置くことで、磁束漏れを低減しつつ磁気隙間の磁束密度を増大させるスピーカの磁路改良構造が開示されている。しかしこのアイデアにはヨーク及びワッシャを用いて上記目的の効果を達成するというものは開示されていない。
【０００４】
【特許文献１】台湾実用新案公告第Ｍ３８５１８１号。
【考案の概要】
【考案が解決しようとする課題】
【０００５】
したがって、上記した様々な欠点に鑑み、本考案では、ヨーク及びワッシャの構造を用いて、磁力線を集中させて磁界強度を増大させるのみならず、磁束の損失を低減して、磁束漏れ現象などが発生するのを防止する目的を達成するスピーカ単体構造を提供するものである。
【０００６】
本考案では上記した欠点に鑑み、従来技術における欠点を解決すべき、スピーカ単体構造を提案するものである。
【課題を解決するための手段】
【０００７】
本考案はフレームと、コーン紙と、ヨークと、ボイスコイルと、マグネットユニットとを備えたスピーカ単体構造である。前記フレームは上部結合部と下部結合部とを有しており、前記コーン紙は前記上部結合部に設けられており、前記ヨークは前記下部結合部に設けられており、前記ボイスコイルは前記コーン紙の底面に環設されており、前記マグネットユニットはマグネットとフロントプレートとを備えており、前記マグネットユニットは前記ヨーク上に設けられている。そして、前記ヨークの内側円環面は、前記内側円環面に対して前記ヨークの中心に更に近接している第１の集磁面と、前記ヨークの内部に沿って徐々に隆起している第２の集磁面とを有しており、また前記ヨークの底面は前記第２の集磁面に対して隆起しており、前記フロントプレートの外側円環面は前記マグネットの外側円環面に対して前記フロントプレートの中心から更に離れている、ことを特徴とする。従来技術と比べて、本考案のスピーカ単体構造は、磁力線を集中させて磁界強度を増大させ、そして磁束の損失を低減するとともに磁束漏れ現象を防止することができる。
【図面の簡単な説明】
【０００８】
【図１】本考案のスピーカ単体構造の概略図である。
【図２】本考案のスピーカ単体構造の他の実施例である。
【図３】本考案のスピーカ単体構造の更に他の実施例である。
【考案を実施するための形態】
【０００９】
本考案の目的、特徴及び効果が十分に理解できるようにするため、以下の具体的な実施例により、しかも別紙の図面を合わせて、本考案に以下のような詳細な説明を行う。
【００１０】
本考案のスピーカ単体構造の概略図である図１を参照されたい。前記スピーカ構造１はフレーム１００と、コーン紙２００と、ヨーク３００と、ボイスコイル４００と、マグネットユニット５００とを備えている。
【００１１】
前記フレーム１００は上部結合部１０２と下部結合部１０４とを有している。
【００１２】
前記コーン紙２００は前記上部結合部１０２に設けられるとともに、前記コーン紙２００の中心から外側に向けて複数の円弧面２０２が形成されている。
【００１３】
前記ヨーク３００は前記下部結合部１０４に設けられている。このうち、前記ヨーク３００の内側円環面３２０は第１の集磁面３２２と第２の集磁面３２３とを有しており、前記第１の集磁面３２２は前記内側円環面３２０に対して前記ヨーク３００の中心により近接しており、前記第２の集磁面３２３は前記ヨーク３００の内部に沿って徐々に隆起し、また前記ヨーク３００の底面３２１は前記第２の集磁面３２３に対して隆起することで、前記第２の集磁面３２３及び前記底面３２１が対称でかつ同じ厚さを形成している。
【００１４】
前記ボイスコイル４００は前記コーン紙２００の底面に環設されており、このうち、前記ボイスコイル４００は導電コイル４０２を更に備えている。
【００１５】
前記マグネットユニット５００はマグネット５２０とフロントプレート５４０とを備えており、前記フロントプレート５４０は前記マグネット５２０の上に設けられており、また前記マグネット５２０は前記第２の集磁面３２３の上に設けられている。このうち、前記フロントプレート５４０は導磁性である。さらに、前記フロントプレート５４０の外側円環面５４１は前記マグネット５２０の外側円環面５２１に対して前記フロントプレート５４０の中心から更に離れている。
【００１６】
また、前記フロントプレート５４０の前記外側円環面５４１と前記ヨーク３００の第１の集磁面３２２とが磁気隙間３２５を形成しており前記磁気隙間３２５は前記ボイスコイル４００を収容するためのものであり、通電することで前記ボイスコイル４００に磁界を発生させるとともに、前記磁気隙間３２５中にて垂直運動することで、前記コーン紙２００の前記複数の円弧面２０２を連動させると、前記円弧面２０２は前記ボイスコイル４００の連動により、ひいては空気を振動させるとともに音声を発生させる。
【００１７】
ところで、前記第１の集磁面３２２及び前記フロントプレート５４０により、前記ボイスコイル４００に通電することで発生する磁力線をより集中させるとともに、更に前記磁気隙間３２５の磁界強度（ウェーバ）を増大させることができ、一方では、前記第２の集磁面３２３及び前記底面３２１は、前記ボイスコイル４００の垂直運動の過程において、磁束密度（ガウス）の損失を効果的に減らすとともに、磁束漏れ減少を防止する、ことに注意されたい。
【００１８】
本考案のスピーカ単体構造の他の実施例である図２を参照されたい。前記スピーカ構造１は支柱６００を更に備えている。
【００１９】
前記支柱６００の一端は前記フロントプレート５４０に螺着されており、その対応する他端は前記コーン紙２００を貫設して結合されている。前記支柱６００は前記ボイスコイル４００が垂直に運動する過程での安定性を増進して、前記ボイスコイル４００が不用意に前記ヨーク３００及び前記マグネットユニット５００にぶつかって前記ボイスコイル４００の寿命が短くなるのを防止する。また、前記支柱６００は前記フロントープレート５４０に粘着したり、或いは、螺着すると同時に、粘着剤を加えたりすることで、前記支柱６００と前記フロントープレート５４０との安定性を強化することもできる。
【００２０】
また、前記支柱６００は、前記コーン紙２００の対応する前記支柱６００を覆って、埃や塵が前記スピーカ構造１に入り込むのを防止するための防塵カバー６２０を更に備えている。
【００２１】
本考案のスピーカ単体構造の更に他の実施例である図３を参照されたい。前記スピーカ構造１はダンパ７００を更に備えている。
【００２２】
前記ダンパ７００の一側面は前記フレーム１００に設けられており、その対応する他の側面は前記ボイスコイル４００に設けられている。このうち、前記ダンパ７００は前記ボイスコイル４００の前記磁気隙間３２５での正確な位置を保持して、前記ボイスコイル４００が垂直運動する過程での安定性を増進するとともに、予期せず埃や塵又は異物が前記ヨーク３００及び前記マグネットユニット５００の中に入り込むのを防止することができるようにするためのものである。
【００２３】
さらに、前記スピーカ構造１には前記支柱６００を増設して前記ボイスコイル４００の安定性を更に高めることができるが、前記支柱６００を増設しなくてもよい（本実施例では前記支柱６００を増設したものを例としている）。
【００２４】
以上、本考案では詳細な説明を行ったが、上記したものは、単に本考案の好ましい実施例に過ぎず、当業者であれば、これら実施例は本考案を記述するためのものに過ぎず、本考案の範囲を限定するものとして解釈すべきではないということは明確に理解するはずである。本考案のクレームによりなされる均等の変化及び付加は、いずれも本考案のクレームの範囲に含まれるものである。
【符号の説明】
【００２５】
１      スピーカ構造
１００  フレーム
１０２  上部結合部
１０４  下部結合部
２００  コーン紙
２０２  円弧面
３００  ヨーク
３２０  内側円環面
３２１  底面
３２２  第１の集磁面
３２３  第２の集磁面
３２５  磁気隙間
４００  ボイスコイル
４０２  導電コイル
５００  マグネットユニット
５２０  マグネット
５２１  外側円環面
５４０  フロントプレート
５４１  外側円環面
６００  支柱
６２０  防塵カバー
７００  ダンパ
【図１】
0003190577.tif 000003
【図２】
0003190577.tif 000004
【図３】
0003190577.tif 000005